(57)【要約】  【課題】  幼児等の悪戯で蓋体が不用意に開放されることを防ぐことができ、しかも、コストを低減できる電子機器を提供する。  【解決手段】  記録媒体の挿脱口１を開閉するための蓋体３が設けられている筺体２に、前記挿脱口１１内で前記蓋体３の周縁部の内外面と対向する凸部４１，４１ａを有し、前記蓋体３の開動作を規制する規制体４，４と、該規制体４，４を前記蓋体３の開動作方向と交差する方向へ移動自在に支持したコイルバネ５ａ，５ａとを備える構成とし、挿脱口１に挿入する記録媒体の一部が規制体４，４の凸部４１，４１ａに当接し、記録媒体の挿入力の分力により規制体４，４を挿脱口１から後退移動させ、蓋体３の開動作規制を解除するようにした。  【選択図】      図３
2005317071.tif 000002
【特許請求の範囲】
【請求項１】
記録媒体の挿脱口を有する筺体に前記挿脱口を開閉するための蓋体が設けられている電子機器において、前記筺体は前記挿脱口内で前記蓋体の周縁部の内外面と対向する凸部を有し、前記蓋体の開動作を規制する規制体と、該規制体を前記蓋体の開動作方向と交差する方向へ移動自在に支持した可撓部材とを備えていることを特徴とする電子機器。
【請求項２】
前記凸部は前記規制体の移動方向と交差する方向へ傾斜する傾斜面を有する請求項１記載の電子機器。
【請求項３】
前記規制体は前記挿脱口の複数位置に配設されている請求項１又は２記載の電子機器。
【請求項４】
前記規制体は移動方向一側に前記凸部を有し、移動方向他側に軸部を有しており、前記可撓部材は前記軸部に外嵌されたコイルバネである請求項１乃至３のいずれか一つに記載の電子機器。
【発明の詳細な説明】
【技術分野】
【０００１】
本発明はビデオテープ、フレキシブルディスク等の記録媒体を使用するＶＴＲ（ビデオテープレコーダ）、パーソナルコンピュータ等の電子機器に関する。
【背景技術】
【０００２】
ＶＴＲ等の電子機器は記録媒体の挿脱口を有する筺体の挿脱口に、該挿脱口を開閉するための矩形板からなる蓋体が枢支されている。この蓋体はつる巻ばねにより閉位置へ付勢されており、ＶＴＲカセットテープ、フレキシブルディスク等の記録媒体を挿脱口に挿入するとき、記録媒体が蓋体を軽く押すだけで開蓋できるように構成されている。
【０００３】
ところが、このように構成された場合、単純に手で押しただけで蓋体が開放されるため、幼児等が悪戯で手の指を挿脱口に挿入して指を挟んだり、内部機器に触れて手を怪我したりすることがある。
【０００４】
このような問題をなくするため、つる巻ばねにより閉位置へ付勢された蓋体と、該蓋体の開動作をロックするロック板と、該ロック板をロック解除動作させる電動モータと、挿脱口に挿入される記録媒体が接触して作動するレバーと、該レバーの作動を検出するスイッチとを備え、該スイッチのオンにより前記電動モータが駆動されるように構成された電子機器が知られている（例えば、特許文献１）。
【０００５】
また、蓋体の内側にロック爪を有する帯板状のロック板を移動可能に保持し、蓋体の長手方向両端側に穿設された貫通孔に、前記ロック板のロック解除動作を規制する規制体を移動自在に設け、挿脱口に挿入される記録媒体が蓋体の規制体を押圧することによりロック板がロック解除動作するように構成された電子機器も知られている（例えば、特許文献２）。
【特許文献１】特開平６−２０３５７号公報
【特許文献２】特許第２６５５７７２号公報
【発明の開示】
【発明が解決しようとする課題】
【０００６】
ところが、特許文献１にあっては、電動モータ、スイッチ等の比較的コストが高い部品を必要とするため、電子機器のコストが高くなるという問題がある。また、特許文献２にあっては、外部から分かり易い位置に規制体が配設されており、しかも、規制体は蓋体の開動作方向への押圧により移動するように構成されているため、幼児等の悪戯で規制体が操作され易く、改善策が要望されていた。
【０００７】
本発明は斯かる事情に鑑みてなされたものであり、主たる目的は挿脱口内で蓋体の周縁部の内外面と対向する凸部を有し、前記蓋体の開動作を規制する規制体と、該規制体を前記蓋体の開動作方向と交差する方向へ移動自在に支持した可撓部材とを筺体に設けることにより、幼児等の悪戯で蓋体が不用意に開放されることを防ぐことができ、しかも、コストを低減できる電子機器を提供することにある。
【０００８】
また、他の目的は、規制体の移動方向と交差する方向へ傾斜する傾斜面を凸部に設けることにより、比較的小さい挿入力で蓋体を開動作させることができる電子機器を提供することにある。
【０００９】
また、他の目的は、規制体を挿脱口の複数位置に配設することにより、幼児等の悪戯で蓋体が不用意に開放される可能性をより一層少なくすることができる電子機器を提供することにある。
【００１０】
また、他の目的は、移動方向一側に凸部を有し、移動方向他側に軸部を有する規制体とし、可撓部材を前記軸部に外嵌されたコイルバネとすることにより、規制体及び可撓部材を筺体に簡易に組み込むことができる電子機器を提供することにある。
【課題を解決するための手段】
【００１１】
本発明に係る電子機器は、記録媒体の挿脱口を有する筺体に前記挿脱口を開閉するための蓋体が設けられている電子機器において、前記筺体は前記挿脱口内で前記蓋体の周縁部の内外面と対向する凸部を有し、前記蓋体の開動作を規制する規制体と、該規制体を前記蓋体の開動作方向と交差する方向へ移動自在に支持した可撓部材とを備えていることを特徴とする。
【００１２】
この発明にあっては、筺体に規制体が設けられており、この規制体は蓋体の開動作方向と交差する方向へ移動自在であるため、外部から規制体の位置が分かり難く、しかも、外部から規制体を操作するのが難しい。従って、幼児等の悪戯で規制体が操作され難く、蓋体が不用意に開放されることを防ぐことができる。また、記録媒体が挿脱口に挿入される場合、記録媒体の一部が蓋体の外面と対向する凸部に当接し、記録媒体の挿入力の分力により規制体が可撓部材の弾性復元力に打ち勝って挿脱口から後退移動し、規制体による蓋体の開動作規制が解除され、蓋体を開動作させることができる。
【００１３】
また、本発明に係る電子機器は、前記凸部は前記規制体の移動方向と交差する方向へ傾斜する傾斜面を有することを特徴とする。
【００１４】
この発明にあっては、記録媒体の挿入力の分力を傾斜面から規制体に加え易いため、比較的小さい挿入力で蓋体を開動作させることができる。
【００１５】
また、本発明に係る電子機器は、前記規制体は前記挿脱口の複数位置に配設されていることを特徴とする。
【００１６】
この発明にあっては、複数の規制体を移動させないことには蓋を開動作させることができないため、幼児等の悪戯で蓋体が不用意に開放される可能性をより一層少なくすることができる。
【００１７】
また、本発明に係る電子機器は、前記規制体は移動方向一側に前記凸部を有し、移動方向他側に軸部を有しており、前記可撓部材は前記軸部に外嵌されたコイルバネであることを特徴とする。
【００１８】
この発明にあっては、規制体及び可撓部材の構造が簡単であり、規制体及び可撓部材を筺体に簡易に組み込むことができる。
【発明の効果】
【００１９】
本発明によれば、外部から規制体の位置が分かり難く、外部から規制体を操作するのが難しいため、幼児等の悪戯で蓋体が不用意に開放されることを防ぐことができ、しかも、規制体及び可撓部材により蓋体の開動作が規制されているため、部品点数が少なく、コストを低減できる。
【００２０】
また、本発明によれば、記録媒体の挿入力の分力を傾斜面から規制体に加え易いため、比較的小さい挿入力で蓋体を開動作させることができる。
【００２１】
また、本発明によれば、幼児等の悪戯で蓋体が不用意に開放される可能性をより一層少なくすることができる。
【００２２】
また、本発明によれば、規制体及び可撓部材の構造が簡単であり、規制体及び可撓部材を筺体に簡易に組み込むことができる。
【発明を実施するための最良の形態】
【００２３】
以下本発明をその実施の形態を示す図面に基づいて詳述する。図１は本発明に係る電子機器の要部の構成を示す斜視図、図２は電子機器の要部の構成を示す分解斜視図、図３は電子機器の要部の構成を示す拡大断面図、図４は電子機器の全体の構成を示す斜視図である。
【００２４】
図に示した電子機器は、ＶＴＲカセットテープ等の記録媒体Ａの挿脱口１を有する筺体２と、挿脱口１を開閉するための矩形板状の蓋体３と、該蓋体３の開閉動作を規制する２つの規制体４，４と、該規制体４，４を開閉動作方向と交差する方向へ移動自在に支持した可撓部材５，５と、挿脱口１から筺体２内に挿入された記録媒体Ａを定位置へローディング、及び定位置から挿脱口１へ取出すローディング機構（図示せず）とを備えている。
【００２５】
挿脱口１は矩形をなしており、該挿脱口１の内側の長手方向両側部上側に２つの支持部１１，１１が設けられており、この支持部１１，１１に蓋体３の長手方向両側部が開閉動作自在に支持されており、また、支持部１１，１１と対向する２つの位置に規制体４，４が配設されている。
【００２６】
筺体２には挿脱口１の下縁から内方へ延出された矩形の延出板部２１、及び延出板部２１の下方で延出板部２１と対向するように突設された２つの受止部２２，２２が設けられている。挿脱口１の長手方向両側部下側、換言すれば、延出板部２１の長手方向両側部には蓋体３の開閉動作方向と交差する方向、換言すれば規制体４の移動方向に穿設された２つの案内孔２３，２３が設けられている。案内孔２３，２３は矩形をなしており、規制体４，４を回動させることなく移動自在に案内することができるようになっている。
【００２７】
蓋体３は挿脱口１に対応した大きさの矩形をなしており、挿脱口１内で開閉動作が可能になっている。この蓋体３には長手方向両側部上側に被支持部３１，３１が設けられており、各被支持部３１，３１が各支持部１１，１１に筺体２の内側へ開閉動作可能に支持されており、該蓋体３と筺体２との間に蓋体３を閉方向へ付勢する付勢ばね６，６が設けられている。
【００２８】
規制体４，４は移動方向一側に蓋体３の周縁部の外面３ａ及び内面３ｂと対向する凸部４１，４１ａを有し、移動方向他側に軸部４２，４２を有しており、凸部４１，４１ａが挿脱口１内で蓋体３の周縁部の内面３ａ及び外面３ｂと対向し、挿脱口１に挿入される記録媒体Ａの一部が外側の凸部４１に当接し、規制体４，４を挿脱口１から後退移動するように構成されている。また、規制体４，４は凸部４１，４１ａの間が蓋体３の下面と対向する溝４３になっており、凸部４１，４１ａが挿脱口１内に位置するとき、外側の凸部４１が蓋体３の周縁部の外面３ａに当接し、蓋体３の開閉動作を規制しており、規制体４，４が挿脱口１から後退移動することにより凸部４１，４１ａの蓋体３との当接が外れ、蓋体３の開閉動作の規制が解除されるように構成されている。
【００２９】
凸部４１，４１ａは尖鋭状となるように規制体４，４の移動方向と交差する方向へ傾斜する傾斜面４４，４４ａを有しており、挿脱口１へ挿入される記録媒体Ａの挿入力の分力、及びローディング機構による記録媒体Ａの取出力の分力が傾斜面４４，４４ａから規制体４，４に加わり易いように構成されている。凸部４１，４１ａ及び軸部４２の間は非円形をなしており、この非円形部が案内孔２３，２３に嵌入され、蓋体３との位置関係を維持できるように構成されている。また、非円形部の両側面には鍔部４５，４５が突設されており、該鍔部４５，４５が延出板部２１の下面に当接して凸部４１，４１ａの挿脱口１内での位置を決めるように構成されている。尚、傾斜面４４，４４ａは平坦である他、湾曲した面であってもよい。
【００３０】
可撓部材５，５は軸部４２，４２に外嵌されたコイルバネ５ａ，５ａからなり、受止部２２，２２と規制体４，４の非円形部との間に介在され、凸部４１，４１ａが挿脱口１内に位置するように規制体４，４を付勢している。
【００３１】
図５は記録媒体を挿脱口に挿入する状態を示す説明図、図６は記録媒体が挿脱口から筺体内に挿入された状態を示す説明図、図７は記録媒体を筺体内から取出す場合の説明図である。以上のように構成された電子機器は、把持された記録媒体Ａが挿脱口１から筺体２内へ挿入される場合、記録媒体Ａの長手方向両端部下縁が蓋体３の外面３ａと対向する凸部４１，４１の傾斜面４４，４４に当接し、記録媒体Ａの挿入力の分力が傾斜面４４，４４に加わり、各規制体４，４はコイルバネ５ａ，５ａの弾性復元力に打ち勝って挿脱口１から後退移動し、蓋体３の規制体４，４による開閉動作の規制が解除され、蓋体３は挿入力により開動作する。この蓋体３の開動作により記録媒体Ａを筺体２内へ挿入することができる。
この挿入された記録媒体Ａはローディング機構により自動的にローディングされて定位置に移動される。このとき、蓋体３の下側縁は記録媒体Ａの上面に当接しており、開動作状態になっている。また、移動体４，４はコイルバネ５ａ，５ａの弾性復元力により挿脱口１内へ進出移動している。
【００３２】
筺体２内の記録媒体Ａを外部に取出す場合、エジェクト釦等の取出し操作部を押し操作することにより記録媒体Ａが定位置から挿脱口１内へ取り出されることになるが、この取出しの途中で記録媒体Ａの挿入方向後端縁が蓋体３の内面３ｂと対向する凸部４１ａ，４１ａの傾斜面４４ａ，４４ａに当接し、記録媒体Ａの取出力の分力が傾斜面４４ａ，４４ａに加わり、規制体４，４はコイルバネ５ａ，５ａの弾性復元力に打ち勝って挿脱口１から後退移動し、記録媒体Ａの挿脱口通過が許容され、記録媒体Ａを挿脱口１に取出すことができ、この挿脱口１に取出した記録媒体Ａを摘んで挿脱口１から外部へ抜出すことができる。この記録媒体Ａの抜出しにより蓋体３の規制が解除され、該蓋体３は付勢ばね６，６の弾性復元力により自動的に閉動作し、規制体４，４の凸部４１ａ，４１ａの傾斜面４４ａ，４４ａに当接し、付勢ばね６，６による蓋体３の閉動作力の分力が内側の傾斜面４４ａ，４４ａに加わり、移動体４，４はコイルバネ５ａ，５ａの弾性復元力に打ち勝って挿脱口１から後退移動し、蓋体３の下縁部外面３ａが外側の凸部４１，４１に当接し、この状態でコイルバネ５ａ，５ａの弾性復元力により規制体４，４が挿脱口１へ進出移動し、蓋体３の開閉動作を規制する。
【００３３】
また、規制体４，４は記録媒体Ａの挿入力の分力により挿脱口１から後退移動するように構成されているため、例えば蓋体３に過大の外力が加わった場合、この外力の分力により規制体４，４を挿脱口１から後退移動させることができ、蓋体３の破損を防ぐことができる。
【００３４】
尚、以上説明した実施の形態では、長手方向両端側が支持された蓋体３の支持部１１，１１と対向する２つの位置に規制体４，４を配設したが、その他、規制体４は支持部１１，１１間の中央部と対向する１個所、又は、支持部１１，１１の一方と対向する１個所、又は、これら１個所の近傍の複数個所に配設してもよいし、また、支持部１１，１１側と対向する側である他、支持部１１，１１側と隣合う側に配設した構成としてもよく、規制体４の個数及び配設位置は特に制限されない。
【００３５】
また、以上説明した実施の形態では規制体４の凸部４１，４１ａが傾斜面４４，４４ａを有する構成としたが、その他、記録媒体Ａの挿入力の分力、記録媒体Ａの取出し力の分力により規制体４を挿脱口１から後退移動させる形状であればよく、必ずしも傾斜面４４，４４ａでなくてもよい。
【００３６】
また、以上説明した実施の形態では可撓部材５，５としてコイルバネ５ａ，５ａを用いたが、その他、ゴム等の弾性体であってもよいし、また、気体が充填された弾性袋であってもよく、可撓部材５，５の構成は特に制限されない。
また、本発明に係る電子機器はＶＴＲである他、パーソナルコンピュータ等の電子機器であってもよい。
【図面の簡単な説明】
【００３７】
【図１】本発明に係る電子機器の要部の構成を示す斜視図である。
【図２】本発明に係る電子機器の要部の構成を示す分解斜視図である。
【図３】本発明に係る電子機器の要部の構成を示す拡大断面図である。
【図４】本発明に係る電子機器の全体の構成を示す斜視図である。
【図５】記録媒体を挿脱口に挿入する状態を示す説明図である。
【図６】記録媒体が挿脱口から筺体内に挿入された状態を示す説明図である。
【図７】記録媒体を筺体内から取出す場合の説明図である。
【符号の説明】
【００３８】
１    挿脱口
２    筺体
３    蓋体
４    規制体
４１，４１ａ  凸部
４４  ４４ａ  傾斜面
５    可撓部材
５ａ  コイルバネ
【図１】
2005317071.tif 000003
【図２】
2005317071.tif 000004
【図３】
2005317071.tif 000005
【図４】
2005317071.tif 000006
【図５】
2005317071.tif 000007
【図６】
2005317071.tif 000008
【図７】
2005317071.tif 000009